(57)【要約】  【課題】  光源の保持プレートとプリント基板とがそれぞれ、基台にねじ留めするためのねじしろ面を有し、そのねじしろ面を介して基台にねじ留めされる構成の光ピックアップにおいて、部品の削減を図ること。  【解決手段】  前記光源の保持プレート３と前記プリント基板４のいずれか一方に、他方のねじしろ面に重なるねじしろ面を増設し、その増設したねじしろ面を相手のねじしろ面に重ねて、その重ねた部分でとも締めするようにする。そのようにすると、前記光源の保持プレート３は、従来、それを基台１に固定していた二つのねじ６、７の内のいずれかのねじに代えて、プリント基板４のねじしろ面に重なる増設したねじしろ面の部分でプリント基板４を固定するねじでとも締めすることができるので、二つのねじ６、７の一方を削減することができる。【選択図】      図１
2006155810.tif 000002
【特許請求の範囲】
【請求項１】
光源と、その光源に給電するためのプリント基板を基台に搭載するのに、前記光源の保
持プレートとプリント基板とがそれぞれ、前記基台にねじ留めするためのねじしろ面を有
し、そのねじしろ面を介して基台にねじ留めされる組み立て構造の光ピックアップにおい
て、
前記光源の保持プレートと前記プリント基板のいずれか一方に、他方のねじしろ面に重
なるねじしろ面を増設し、その増設したねじしろ面を相手のねじしろ面に重ねて、その重
ねた部分でとも締めするようになっていることを特徴とする光ピックアップ。
【請求項２】
請求項１に記載の光ピックアップを備えた光ディスク装置。
【発明の詳細な説明】
【技術分野】
【０００１】
この発明は光ディスク装置において、光ディスクに対する情報の読み出しや書き込みを
行う光ピックアップに関し、詳しくはその組み立て構造の改良に関する。
【背景技術】
【０００２】
オーディオ・ヴィジュアル業界では従来の電磁記録媒体を扱ったテープレコーダやビデ
オテープレコーダに代わって、光学記録媒体のディスクを扱ったＣＤやＤＶＤの機器が台
頭してきている。これら光学記録媒体のディスクは電磁記録媒体のものに比べて記録密度
が高く、大量のデータを扱うことができるとともに、媒体自体の保存性が格段に高く、半
永久的なものであるからである。
【０００３】
そのＣＤやＤＶＤの機器の需要が増えるにつれ、それらを生産する関連会社は独自の新
しい機能を備えた製品の開発にしのぎを削っているが、それとともに、各メーカー間で同
じような構成で同じような機能を有するものについては、それらの価格を下げることで差
別化を図ることにも力を注いでいる。
【０００４】
例えば、一点の部品でも、それが削減されれば、その部品代が削減されるとともに、そ
の削減対象となる部品が組み立てに関わるような部品、例えば、ねじやばね等であると、
部品代の削減にとどまらず、組み立ての際、その部品を取り扱う作業がなくなるので、作
業の簡略化を図ることもでき、このことはさらなるコストダウンに繋がることになる。
【０００５】
上記のようなＣＤやＤＶＤといった光ディスク媒体を対象とする光ディスク装置に搭載
されるのが光ピックアップであって、その光ピックアップにおける部品点数の削減と、そ
れに伴う、その部品の取り付け作業の廃止によるコストダウンを図ったものとしては、公
知文献１に開示されたものがある。
【０００６】
本発明者は、前記光ピックアップの構成について、自身が携わったものの中に、上記の
ようなコストダウンに繋がる部品の削減ができないものかと考えたのである  。
【０００７】
以下、しばし、本発明者が部品点数の削減対象として選んだ光ピックアップの部品削減
前の構成について述べる。その光ピックアップはフナイ販売（株）のＤＶＤ−Ｆ７００Ｓ
、ＶＤ−Ｆ１０００、ＶＤＹＷ２ＦＮ等のモデルに搭載されているものであって、図３は
その光ピックアップの基台周りの構成を示した要部分解斜視図である。
【０００８】
図に示している光ピックアップの主な部品は、その光ピックアップの基台１と、それに
搭載される光源としての発光ダイオード２と、それを前記基台１に取り付けるための取り
付けプレート３と、前記発光ダイオード２に給電するためのプリント基板４である。５は
プリント基板４を基台１に取り付けるためのねじ、６、７が前記発光ダイオード２の取り
付けプレート３を基台１に取り付けるためのねじである。なお、図中、４ａはプリント基
板４に搭載されるチップである。
【０００９】
これらの他にも、この基台１に搭載されるものとして対物レンズとそのホルダおよびそ
の対物レンズホルダをフォーカス方向とトラッキング方向に移動させるための電磁駆動回
路等が搭載されたアクトベースや、コリメータレンズ、光源からの出射光の光路をそのコ
リメータレンズ側に変換するミラー等の重要部品もあるが、それらは、これから述べる本
発明の本質には関わりのないものであるので、それらの図示と説明は省略する。
【００１０】
前記基台１は、図３に示したように、ラック１ａが形成された部分を有しているが、こ
のラック１ａは光ピックアップが光ディスクに対する信号の読み取りや書き込みを行う際
に、図示しないピニオンとの協働でディスクのラジアル方向に移動するためのものである
。これも本発明の本質に該当する内容ではないので、これ以上の説明は省略する。
【００１１】
前記発光ダイオード２はそれを基台１に取り付ける前に、先ず、図３に示すように、基
台１に取り付けるための取り付けプレート３にナット８やワッシャ９を介して取り付ける
。
【００１２】
そして、その発光ダイオード２を取り付けた取り付けプレート３が二本のねじ６、７で
基台１の底面側に取り付けられる。その取り付けプレート３が基台１に取り付けられる形
態を基台１の底面側からみたものを図４に斜視図で示す。この図では、図３で示した発光
ダイオード２等は省略し、基台１と取り付けプレート３のみを描いている。
【００１３】
この取り付けプレート３は符号３ａで示した部分の二つの切り穴６ａ、７ａを通して、
その部分が面着する基台１側の面に形成されたねじ穴１６、１７にねじ留めする。この工
程で二回のねじ留め作業が必要となる。
【００１４】
他方、前記発光ダイオード２に給電するためのプリント基板４は、その板面を前記基台
１の背面１１に面着させ、その基板４に設けられた切り穴４ｂを通して、基台１の背面１
１に形成されたねじ穴１４にねじ留めする。このプリント基板４はプリント基板４自体が
ねじしろ面の役目を果たしている。
【００１５】
また、プリント基板４には、その縁部から板面に対して垂直に突出する回り止め用の板
４ｃが設けられており、その回り止め用の板４ｃと一本のねじ５とで基台１に固定できる
ようになっている。この工程のねじ留め作業は一回である。
【特許文献１】特開２０００−２８５４７３号公報（第８図）
【発明の開示】
【発明が解決しようとする課題】
【００１６】
以上が、本発明者の下で従来採用していた光ピックアップの光源と、その光源に給電す
るためのプリント基板を基台に取り付けるための構成であるが、本発明は、先述したよう
に、その従来の光ピックアップの基台周りの構成について、削減できる部品があるかどう
か、さらには、それに伴う作業効率の改善が可能かどうかを検討し、トータルコストの削
減を図ることを目的とする。
【課題を解決するための手段】
【００１７】
上記目的を達成するために本発明は、光源と、その光源に給電するためのプリント基板
を基台に搭載するのに、前記光源の保持プレートとプリント基板とがそれぞれ、前記基台
にねじ留めするためのねじしろ面を有し、そのねじしろ面を介して基台にねじ留めされる
構成の光ピックアップにおいて、
前記光源の保持プレートと前記プリント基板のいずれか一方に、他方のねじしろ面に重
なるねじしろ面を増設し、その増設したねじしろ面を相手のねじしろ面に重ねて、その重
ねた部分でとも締めするようにしたのである。
【００１８】
このようにしたので、前記光源の保持プレートは、従来、それを基台に固定していた（
二つの）ねじの内のいずれかのねじに代えて、プリント基板のねじしろ面に重なる形で増
設したねじしろ面の部分で、プリント基板を固定するためのねじでとも締めすることがで
きる。
【発明の効果】
【００１９】
以上、説明したように、本発明は上記のように構成したので、従来の構成に対し、ねじ
を一本削減できることができるので、そのねじを削減し、そのことにより、そのねじにつ
いての部品代が削減されるとともに、削減前のそのねじのねじ止め作業が不用となるので
、作業の簡略化を図ることができ、さらなるコストダウンを図ることができる。
【発明を実施するための最良の形態】
【００２０】
以下、図面を参照して、この発明の実施の形態を説明する。従来例の項で述べたように
、現行の発光ダイオードと給電用のプリント基板の基台への取り付けには三本のねじの三
回のねじ締め作業が必要であったわけであるが、発明者はこの従来の組み立て構造におけ
るねじの削減を考えたのである。それが以下に述べる本発明の実施形態である。その実施
形態の組み立ての形態を図１に斜視図で示す。なお、従来例と同一の要素については同一
の符号を付して説明は省略する。
【００２１】
図１に示した構成で、前記従来のものと異なるのは、発行ダイオードの取り付けプレー
ト３の形状である。すなわち、前記従来の取り付けプレート３の図中、符号３ｂを付して
示した部分の縁部にその縁部から垂直に立ち上がるねじしろ用の板３ｃを延設したのであ
る。そして、その板３ｃにねじを通すきり穴３ｄを設けたのである。
【００２２】
前記符号３ｂを付した部分は、前出の図４に示したように、この取り付けプレート３を
基台１に仮止めした際、その縁部が、基台１の背面１１の下縁１１ａにぴったりと重なる
ようになっている。
【００２３】
他方、基台１のその背面１１は前記プリント基板４の基台１に対する取り付け面ともな
っており、その面にはプリント基板４を固定するためのねじ穴１４が形成されている。プ
リント基板４を基台１に固定するには、プリント基板４の板面をその基台１の背面１１に
密着させ、プリント基板４に設けられているねじ通し用の切り穴４ｂからねじ５を通して
そのねじ穴１４に螺合させて固定する。
【００２４】
発明者は、基台１とプリント基板４および発光ダイオード２の取り付けプレート３との
こうした取り付け構造に着目し、発行ダイオード取り付けプレート３の符号３ｂで示した
部分の縁部に前記した延設部３ｃを設けたのである。
【００２５】
そのようにしたので、従来と同じように発光ダイオードの取り付けプレート３を基台１
に仮止めすると、その延設部３ｃは基台の背面１１にぴったりと面着する。従って、その
上にプリント基板４を重ねることができる。
【００２６】
そして、その発光ダイオードの取り付けプレート３の延設部３ｃには、それに重ねたプ
リント基板４のねじ通しの穴４ｂと同軸にねじ通し用の切り穴３ｄを形成している。従っ
て、両者４、３ｃをねじでとも締めして固定することができる。
【００２７】
なお、従来例の項で述べたように、プリント基板４自体は基台１に固定するための前記
ねじ５とプリント基板４に設けられた回り止め用の板４ｃとで一本のねじ５で基台１に固
定することができる。
【００２８】
他方、発光ダイオード２の取り付けプレート３は、そのプリント基板４とのとも締めに
用いたねじ５と、あと一本のねじとで基台１に固定できるので、そのためのねじとして、
従来は取り付けプレート３の符号３ａで示した部分の固定に両方とも使用していた二つの
ねじ６、７のいずれかを使用することができる。例えば、図１では符号６を付したねじを
省略し、図２で示すように、符号７を付したねじを取り付けプレート３の符号３ａを付し
た部分の固定に使用している。このように、この二本のねじ６、７の内の一本を選んで、
他の一本を省略することができる。
【産業上の利用可能性】
【００２９】
この発明は光源を搭載した取り付けプレートと、その光源に給電するためのプリント基
板とがともに基台に取り付けるようになっている構造の光ピックアップおよびその光ピッ
クアップを搭載した光ディスク装置一般に広く適用できる。
【図面の簡単な説明】
【００３０】
【図１】は、本実施形態の構成を説明するための要部分解斜視図である。
【図２】は、本実施形態のピックアップの基台に対する光源の取り付けプレートの装着形態を基台の底面側からみた斜視図である。
【図３】は、従来のピックアップの基台周りの組み立て構造の要部を示した分解斜視図である。
【図４】は、従来のピックアップの基台に対する光源の取り付けプレートの装着形態を基台の底面側から見た斜視図である。
【符号の説明】
【００３１】
１    基台
２    発光ダイオード
３    取り付けプレート
４    プリント基板
５、６、７    ねじ
１１    基台の背面
【図１】
2006155810.tif 000003
【図２】
2006155810.tif 000004
【図３】
2006155810.tif 000005
【図４】
2006155810.tif 000006